(57)【特許請求の範囲】
【請求項１】
柄部と、柄部に取付けられた刃体部と、刃体部の少なくとも刃先近傍に配置可能なガード部を有する保護部材を備えた彫刻刀において、
前記保護部材は、柄部又は刃体部に取り付けられ、柄部又は刃体部に対して相対的に移動可能となっており、
保護部材を移動させることにより、ガード部が前記刃先近傍に位置する保護姿勢と、前記刃先の周囲からガード部が退去する開放姿勢とを切り替え可能であり、
前記柄部は、長尺状に展開する使用状態と、小片状に畳んだ不使用状態とを切り替え可能であって、
前記不使用状態において保護部材が前記保護姿勢となることを特徴とする彫刻刀。
【請求項２】
前記保護部材は、前記柄部に突出退入自在に取付けられており、前記保護姿勢においては柄部から突出し、前記開放姿勢においては柄部の内部へ退入することを特徴とする請求項１に記載の彫刻刀。
【請求項３】
前記柄部は、刃体部側に位置する先端側部分と、後端側部分とを備え、
前記後端側部分は、前記先端側部分に対して相対的に回動可能であることを特徴とする請求項１又は２に記載の彫刻刀。
【請求項４】
前記柄部は、刃体部側に位置する先端側部分と、後端側部分とを備え、
当該後端側部分は、少なくとも前記先端側部分の一部を収納する収納部を有し、
前記不使用状態において、前記先端側部分が前記収納部に収納されることを特徴とする請求項１乃至３のいずれかに記載の彫刻刀。
【請求項５】
前記ガード部は半環状部分を有することを特徴とする請求項１乃至４のいずれかに記載の彫刻刀。
【発明の詳細な説明】
【技術分野】
【０００１】
本発明は彫刻刀に関するものであり、より詳細には、使用者の手や彫刻刀の刃先を保護することのできる保護部材付きの彫刻刀に関するものである。
【背景技術】
【０００２】
従来、彫刻刀は、初等教育現場において図画工作の教材として使用されることが知られている。このとき、刃物に不慣れな年少者にとっては彫刻刀の扱いが難しい場合があり、誤って指等を傷つけてしまうという問題があった。また、使用者が誤って彫刻刀を床や机に落としてしまい、彫刻刀の刃先、教室の床、机等を破損してしまうという問題があった。
【０００３】
そこで、刃物に不慣れな年少者でも安全に使用できる彫刻刀が考案されている。このような彫刻刀として、例えば、特許文献１に開示されている彫刻刀がある。特許文献１に開示された彫刻刀は、彫刻刀の刃の周囲を囲うループ部を有した彫刻刀カバーを備え、その彫刻刀カバーを彫刻刀の刃体に着脱自在に取付けている。
【０００４】
このような彫刻刀によると、彫刻刀の刃がループ部によって囲まれるため、作業中に彫刻刀の刃を不意に突き出してしまっても、使用者の手や指等を傷つけることがない。また、このような彫刻刀を床や机に落としてしまっても、ループ部が彫刻刀の刃先を保護しているため、彫刻刀の刃先自身や、教室の床、机等を傷つけることがない。
【０００５】
さらにこのような彫刻刀では、彫刻刀カバーが着脱自在になっているため、刃物の扱いに長けた熟練者は、彫刻刀カバーを外した状態で使用することができる。即ち、使用者の技術が向上し、彫刻刀の刃を覆うループ部がかえって作業の邪魔に感じる場合は、この彫刻刀カバーを取り外して作業を行うことができる。つまり、このような彫刻刀は、刃物の扱いに不慣れな者は安全に使用可能であり、刃物の扱いに長けた者は快適に使用することができる。
【先行技術文献】
【特許文献】
【０００６】
【特許文献１】特開２００１−３４７７９４号公報
【発明の概要】
【発明が解決しようとする課題】
【０００７】
しかしながら、上記した特許文献１に開示されている彫刻刀は、刃先の部分を囲むループ部を有する彫刻刀カバーを刃体に取付けるため、彫刻刀カバーを外した状態に比べて彫刻刀の刃体付近の部分が相対的に大きくなってしまう。そのことにより、彫刻刀を彫刻刀ケース等に収納するとき、彫刻刀カバーが収納の邪魔になってしまうという問題がある。
【０００８】
そこで、彫刻刀カバーを外した状態で彫刻刀を収納するという方法が考えられる。しかし、彫刻刀カバーを外した状態で彫刻刀を収納すると、持ち運び時に鞄の中等で彫刻刀ケースから彫刻刀がこぼれ落ちてしまった場合や、使用時に彫刻刀ケースから彫刻刀を取り出そうとする場合等に、使用者が誤って手を怪我してしまうおそれがある。即ち、彫刻刀の不使用時に彫刻刀の刃が剥き出しになることにより、怪我等の危険性が高まるという問題があった。
【０００９】
さらにまた、彫刻刀カバーが着脱自在に取付け可能であるため、分離した彫刻刀カバーを紛失してしまうという問題があった。
【００１０】
そこで本発明は、上記した従来技術の問題に鑑み、刃物に不慣れな者が安全に使用可能であると共に、刃物の扱いに長けた者が快適に使用可能であって、不使用時においても安全性が高く、構成部品を紛失することの無い彫刻刀を提供することを課題とする。
【課題を解決するための手段】
【００１１】
上記課題を解決するための請求項１に記載の発明は、柄部と、柄部に取付けられた刃体部と、刃体部の少なくとも刃先近傍に配置可能なガード部を有する保護部材を備えた彫刻刀において、前記保護部材は、柄部又は刃体部に取り付けられ、柄部又は刃体部に対して相対的に移動可能となっており、保護部材を移動させることにより、ガード部が前記刃先近傍に位置する保護姿勢と、前記刃先の周囲からガード部が退去する開放姿勢とを切り替え可能であり、前記柄部は、長尺状に展開する使用状態と、小片状に畳んだ不使用状態とを切り替え可能であって、前記不使用状態において保護部材が前記保護姿勢となることを特徴とする彫刻刀である。
【００１２】
請求項１に記載の発明では、保護部材が柄部又は刃体部と一体に取り付けられている。そのため、保護部材が着脱自在な構成と異なり、保護部材は彫刻刀から分離しない。このことにより、保護部材が不意に外れてしまうことによって彫刻刀の刃が剥き出しとなり、使用者が手等を怪我するといったことがない。また保護部材が分離しないので、保護部材を紛失してしまうこともない。
また、本発明の彫刻刀は、保護部材が柄部又は刃体部と一体に取り付けられ、柄部又は刃体部に対して相対的に移動可能となっている。そして、保護部材を移動させることにより、ガード部が前記刃先近傍に位置する保護姿勢と、前記刃先の周囲からガード部が退去する開放姿勢とを切り替え可能である。そのため、刃物に不慣れな者は保護姿勢で使用することで安全に使用可能であって、刃物の扱いに長けたものは開放姿勢で使用することで快適な使用が可能となる。
さらにまた、本発明の彫刻刀は、柄部が長尺状に展開する使用状態と、小片状に畳んだ不使用状態とを切り替え可能となっている。そのため柄部は、使用状態においては使用者が持ち易いように大きく展開でき、不使用状態においてはケースへの収納や持ち運びが容易なように小さく畳むことができる。
そして本発明の彫刻刀は、不使用状態では保護部材が前記保護姿勢となる。即ち、不使用状態で刃が剥き出しとなることがないので、持ち運び、収納具への収納、収納具からの取り出しのような不使用時の取り扱いを安全に行うことができる。
【００１３】
請求項２に記載の発明は、前記保護部材は、前記柄部に突出退入自在に取付けられており、前記保護姿勢においては柄部から突出し、前記開放姿勢においては柄部の内部へ退入することを特徴とする請求項１に記載の彫刻刀である。
【００１４】
請求項２の構成では、保護部材が柄部に突出退入自在に取付けられており、保護姿勢においては柄部から突出し、開放姿勢においては柄部の内部へ退入する。即ち、保護姿勢時に刃先の傍に位置していた保護部材が、開放姿勢時では柄部の内部に位置する。そして、保護部材が柄部の内部に位置すると、使用者が彫刻刀を持ったり彫り作業等を行ったりするとき、保護部材が妨げにならない。換言すると、開放姿勢時において使用者が柄部を持って彫り込み作業等を行うとき、彫刻刀が持ち易く、作業がし易い。
【００１５】
請求項３に記載の発明は、前記柄部は、刃体部側に位置する先端側部分と、後端側部分とを備え、前記後端側部分は、前記先端側部分に対して相対的に回動可能であることを特徴とする請求項１又は２に記載の彫刻刀である。
【００１６】
請求項３の構成では、柄部が先端側部分と後端側部分から構成されており、後端側部分が前記先端側部分に対して相対的に回動可能となっている。即ち、柄部を折り曲げたり、折り畳んだりすることにより、彫刻刀を嵩張らない形状に可変することができる。そのため、彫刻刀がケース等に収納し易く、且つ、持ち運び易い。
【００１７】
請求項４に記載の発明は、前記柄部は、刃体部側に位置する先端側部分と、後端側部分とを備え、当該後端側部分は、少なくとも前記先端側部分の一部を収納する収納部を有し、前記不使用状態において、前記先端側部分が前記収納部に収納されることを特徴とする請求項１乃至３のいずれかに記載の彫刻刀である。
【００１８】
請求項４の構成では、柄部が先端側部分と後端側部分から構成されており、不使用状態において、後端側部分に形成される収納部に少なくとも先端側部分の一部を収納できる。即ち、柄部の一部分に柄部の他の部分を収納したり、柄部に刃体部を収納したりすることにより、彫刻刀全体の大きさを小さくできる。そのため、不使用状態において彫刻刀の携行が容易であり、彫刻刀がケース等に格納し易い。
【００１９】
請求項５に記載の発明は、前記ガード部は半環状部分を有することを特徴とする請求項１乃至４のいずれかに記載の彫刻刀である。
【００２０】
請求項５の構成によると、ガード部が半環状部分を有しているため、彫刻刀の刃先を包囲するようにガード部を配することができる。つまり、彫刻刀の刃先を取り囲むように保護部材を配置できるため、保護姿勢時の安全性をさらに高くすることができる。
【発明の効果】
【００２１】
本発明は、保護部材が柄部又は刃体部と一体に取り付けられているため、保護部材を紛失しないという効果がある。
また本発明は、ガード部が前記刃先近傍に位置する保護姿勢と、前記刃先の周囲からガード部が退去する開放姿勢とを切り替え可能となっており、使用者の熟練に応じて保護姿勢と開放姿勢を切り替えて使用できる。そのため、刃物に不慣れな者は安全に使用可能であり、刃物の扱いに長けた者は快適に使用可能であるという効果がある。
さらに本発明は、柄部が長尺状に展開する使用状態と、小片状に畳んだ不使用状態とを切り替え可能となっている。そのため、使用状態においては使用者が持ち易く、不使用状態においてはケースへの収納や持ち運びが容易であるという効果がある。
そして本発明は、不使用状態では保護姿勢となり、不使用状態で刃が剥き出しとなることがない。そのため、持ち運び、収納具への収納、収納具からの取り出しのような不使用時の取り扱いを安全に行うことができるという効果がある。
【図面の簡単な説明】
【００２２】
【図１】本発明の実施形態にかかる彫刻刀を天地逆にして示す斜視図である。
【図２】図１の柄部本体を示す斜視図である。
【図３】図２の芯部材を示す斜視図である。
【図４】図２の芯部材を図３とは異なる方向から見た様子を示す斜視図である。
【図５】図３の芯部材のＡ−Ａ断面図である。
【図６】図３の芯部材の一部破断斜視図である。
【図７】図２の外筒部材を示す斜視図である。
【図８】図２の外筒部材を図３とは異なる方向から見た様子を示す斜視図である。
【図９】図１のグリップ部を示す斜視図である。
【図１０】図９のグリップ部のＡ−Ａ断面図である。
【図１１】図１の保護部材を示す斜視図である。
【図１２】図１の彫刻刀の分解斜視図である。
【図１３】図１２の柄部本体に保護部材及び刃体部を取り付けた状態を示す斜視図である。
【図１４】図１３の柄部本体の一部を破断させた状態を示す一部破断斜視図である。
【図１５】図１３で示す彫刻刀の前方部分のＡ−Ａ断面図である。
【図１６】図１３で示す彫刻刀の前方部分のＢ−Ｂ断面図である。
【図１７】図１の彫刻刀のＡ−Ａ断面図である。
【図１８】図１の彫刻刀のＢ−Ｂ断面図である。
【図１９】本発明の実施形態にかかる彫刻刀が保護姿勢から開放姿勢へ移行する際の動作を天地逆にして示す説明図であり、（ａ）〜（ｃ）の順に移行していく。
【図２０】本発明の実施形態にかかる彫刻刀が使用状態から不使用状態へ移行する際の動作を天地逆にして示す説明図であり、（ａ）〜（ｂ）の順に移行していく。
【図２１】図２０に続いて彫刻刀が使用状態から不使用状態へ移行する際の動作を天地逆にして示す説明図であり、（ｃ）〜（ｄ）の順に移行していく。
【図２２】本発明の実施形態にかかる彫刻刀を図１とは異なる方向からみた状態を示す斜視図である。
【図２３】図２２の彫刻刀を開放姿勢にした状態を示す斜視図である。
【図２４】図２２の彫刻刀のＡ−Ａ断面図である。
【図２５】図１１とは異なる形態の保護部材を示す斜視図である。
【図２６】図２５の保護部材を採用した彫刻刀を示す断面図である。
【図２７】図１，図２６とは異なる形態の本発明の彫刻刀を示す斜視図である。
【図２８】図２７の彫刻刀のＡ方向矢視図である。
【発明を実施するための形態】
【００２３】
以下さらに本発明の実施形態について説明する。なお、以下の説明における前後方向は、特に断りのない限り彫刻刀１の刃先側を前方とし、柄側を後方として説明する。また、以下の説明における上下方向は、特に断りのない限り、図１の上下方向を基準として説明する。さらに、以下の説明における幅方向は、特に断りのない限り、図１の上下方向及び前後方向に直交する方向として説明する。
【００２４】
本発明の第１の実施形態の彫刻刀１は、図１で示されるように、柄部２、刃体部３、保護部材４から構成されている。このとき、刃体部３は柄部２の前端部分に一体に取付けられている。そして、刃体部３並びに刃先５の近傍には、保護部材４のガード部６が位置している。また、柄部２の前後方向の中心部分からやや前方の部分では、保護部材４の操作部７が露出している。この操作部７は保護部材４と一体に形成されており、操作部７を前後に動かすことによって、保護部材４を前後に動かすことができる。具体的には、ガード部６が外部に露出した状態において操作部７を後方に動かすと、保護部材４が後方に移動してガード部６が柄部２の内部へ退入する。さらにガード部６が柄部２の内部へ退入した状態において操作部７を前方に動かすと、保護部材４が前方に移動してガード部６が柄部２の内部から外部へ突出する。
【００２５】
柄部２は、大きく分けて、前方に位置する柄本体部１２（先端側部分）と後方に位置するグリップ部１３（後端側部分）から構成されており、グリップ部１３は柄本体部１２に対して相対的に回動可能に取り付けられている。そして、本実施形態の柄部２は前後方向の中央近傍で２つ折りにすることが可能であり、小さく折り畳むことができる。
【００２６】
柄本体部１２は、図２で示されるように、芯部材１７と外筒部材１８から形成されている。
【００２７】
芯部材１７は、図３で示されるように、外形が略直方体の部材であり、本体部２２、外方突出部２３、段差形成部２４、後方立壁部２５，２６、外壁部２７，２８を有している。
【００２８】
本体部２２は、外形が略直方体状となっており、芯部材１７の略中心部分に位置している。そして、本体部２２は芯部材１７の前端から前後方向の中心部分よりやや後方まで延びている。この本体部２２の前端面には、刃体取付け部３３が設けられている。刃体取付け部３３は、前方から後方に向かって延びる有底穴となっている。なお、刃体取付け部３３は前方側に対して後方側が狭くなっている（図示せず）。
【００２９】
外方突出部２３は、図３に示されるように、外形が略直方体状であり、本体部２２の上端から上方へ突出している。換言すると、外方突出部２３は本体部２２の外側面と連続しており、芯部材１７の中心側から外側へ向かって、本体部２２から突出している。このとき、外方突出部２３は芯部材１７の前端から後方へ向かって延びており、詳しくは、前後方向の中心近傍からやや後方よりの部分まで延びている。このとき、外方突出部２３の後端よりやや前方よりの部分に、係合溝３５が設けられている。
【００３０】
この係合溝３５は、外方突出部２３の上端面の一部を切り欠いたような溝となっている。つまり係合溝３５は、外方突出部２３の上端面に設けられ、上方から下方へ向かって深くなる溝となっている。そしてこの係合溝３５は、断面略正方形で外方突出部２３の幅方向に沿って延びており、換言すると、外方突出部２３の突出方向に対して略垂直な方向に延びている。なお係合溝３５は、外方突出部２３の片側側面から他方側側面まで延びており、外方突出部２３を幅方向に貫通している。即ち、係合溝３５の延び方向の両端部分は、外方突出部２３の両側面にそれぞれ形成された開口を介して外部と連続している。
【００３１】
段差形成部２４は、図３で示されるように、本体部２２の下方であり、本体部２２の前端からやや後方よりの位置に設けられている。この段差形成部２４は、図３，４で示されるように、芯部材１７の中心側から外方へ向かって断面略Ｕ字状で延びており、前方に凸となっている。つまり段差形成部２４は、芯部材１７の中心側から外側へ向かって突出しており、より詳細には、本体部２２の下端から下方へ向かって突出している。
【００３２】
したがって、段差形成部２４と外方突出部２３は本体部２２を挟んで対向する位置にあり、段差形成部２４の突出方向と外方突出部２３の突出方向は逆向きになっている。そして段差形成部２４の前端部分は、本体部２２の前端からやや後方よりの位置にあり、本体部２２の下端面（図３の下端面であり、図４では上端面）と段差を形成して連続している。
【００３３】
後方立壁部２５，２６は、図３で示されるように、芯部材１７の後方側に設けられており、より具体的には、芯部材１７の前後方向の中心部分よりやや後方の部分から、さらに後方側へ向かって延びる板状の部分である。ここで、図３，５で示されるように、２つの後方立壁部２５，２６は平行に延びており、隙間３７を介して対向している。このとき、後方立壁部２５，２６の互いに対向する面には、それぞれ円柱状の突起３８，３８が形成されている。また後方立壁部２５，２６の互いに対向する面の間には、その一部に係合平板部３９が形成されている（図４，５参照）。
【００３４】
突起３８，３８は、図５で示されるように、２つの後方立壁部２５，２６の互いに対向する面から、互いに近づく方向にそれぞれ突出している。ここで、２つの突起３８，３８の形状及び大きさは同一となっており、２つの突起３８，３８の中心軸も同一となっている。そして、２つの突起３８，３８の突端面は離間対向している。
【００３５】
係合平板部３９は、図６で示されるように、外形が略長方形平板状となっている。そして、後方立壁部２５，２６の前端よりやや後方であり、後方立壁部２５，２６の下端部分の近傍に設けられている。この係合平板部３９は、長手方向の両端部分で２つの後方立壁部２５，２６と連続している。即ち、係合平板部３９は、２つの後方立壁部２５，２６の間を繋ぐように設けられている。
また係合平板部３９には、その後端近傍に、後方に向かうにつれて高さの低くなる傾斜面４０が設けられている。
【００３６】
外壁部２７，２８は、図３で示されるように、２つの後方立壁部２５，２６の外側にそれぞれ設けられており、前後方向に延びる板状の部分である。このとき、外壁部２７，２８の前端部分は、いずれも２つの後方立壁部２５，２６の前端よりやや前方に位置している。ここで、図３，５で示されるように、外壁部２７，２８の内側面と本体部２２及び後方立壁部２５，２６の外側面は、上方から下端近傍までの部分で離間している。そして、下端近傍においてのみ外壁部２７，２８の内側面と本体部２２及び後方立壁部２５，２６の外側面が連結している。
【００３７】
より具体的に説明すると、外壁部２７，２８は、下方から上方へ向かって連結部２７ａ，２８ａと、下方部分２７ｂ，２８ｂと、上方部分２７ｃ，２８ｃが連続して形成されている。
【００３８】
連結部２７ａ，２８ａは、図５で示されるように、芯部材１７の下端部分に位置している。そして連結部２７ａ，２８ａは、断面が略長方形であって、幅方向の中心側から外側へ向かって略垂直に突出している。
【００３９】
下方部分２７ｂ，２８ｂは、図５で示されるように、下側で連結部２７ａ，２８ａと連続しており、上側で上方部分２７ｃ，２８ｃと連続している。この下方部分２７ｂ，２８ｂは、上方に向かうにつれて幅方向外側に広がっていく。具体的には、この下方部分２７ｂ，２８ｂは、緩やかに屈曲しつつ斜め上方に立ち上がっている。つまり、この下方部分２７ｂ，２８ｂは、芯部材１７の外側斜め上方に向かって突出している。
【００４０】
上方部分２７ｃ，２８ｃは、図５で示されるように、下方部分２７ｂ，２８ｂの上端から上方へ略垂直に突出している。このとき、上方部分２７ｃ，２８ｃの上端近傍は上方に向かうにつれて先細りしており、断面が三角形となっている。
【００４１】
そして、図５で示されるように、外壁部２７，２８と本体部２２及び後方立壁部２５，２６によって溝部４２，４３が形成されている。具体的には、溝部４２，４３は、図３，５で示されるように、外壁部２７，２８の内側面と本体部２２及び後方立壁部２５，２６の外側面によって囲まれた部分に形成されている。この溝部４２，４３は、連結部２７ａ，２８ａの天面を底とする溝であり、深さ方向（下方）に向かうにつれて幅が狭くなっている。
【００４２】
外筒部材１８は、図７，８で示されるように、外形が略円筒状であり、前端に位置する環状部４６と、環状部４６の後端と連続して後方へ延びる２つの突出片４７，４７を有している。換言すると、外筒部材１８は、前端近傍が円筒状となっており、残りの部分は、円筒の側面を一部切り欠いたような形状となっている。
【００４３】
突出片４７は、図８で示されるように、断面略弓なり状で延びる前方部分４７ａと、断面略「く」字状で延びる後方部分４７ｂから形成されている。このとき、後方部分４７ｂは前方部分４７ａの後端の一部からさらに後方に延びている。そして、前方部分４７ａの上下方向の中心近傍の部分と後方部分４７ｂの下端近傍の部分は段差４７ｃを介して連続している。
【００４４】
ここで２つの突出片４７，４７は、図８で示されるように、外筒部材１８の上端近傍及び下端近傍において離間している。即ち、外筒部材１８の後方部分には、上端近傍と下端近傍にそれぞれ後方から前方へ延びる切り欠きが設けられている。
【００４５】
ここで、外筒部材１８の上方に位置する切り欠き４８は、外筒部材１８の後端から前後方向の中心部分近傍まで延びている後方切り欠き部４９と、後方切り欠き部４９の前端から前方に向かってわずかに延びている前方切り欠き部５０によって形成されている。この後方切り欠き部４９と前方切り欠き部５０は連続しており、いずれも上方視した形状が略長方形状となっている（外筒部材１８を上方からみた図については図示を省略する）。ここで、前方切り欠き部５０は後方切り欠き部４９より幅方向及び前後方向の長さが短くなっている。
【００４６】
グリップ部１３は、図９で示されるように、外形が略有底半筒状となっている。即ち、有底筒を縦割したような形状となっている。
【００４７】
詳細に説明すると、グリップ部１３は、対向する位置にある２つの側壁５３，５４と、この２つの側壁５３，５４の下端部分に位置する底板部５５を有している。そして、２つの側壁５３，５４と底板部５５は連続しており、グリップ部１３の前後方向の略全域に亘って断面略Ｕ字状で延びている。このとき、側壁５３，５４及び底板部５５は、グリップ部１３の前端部分よりやや後方の部分から後端近傍まで延びている。ここで、図１０で示されるように、底板部５５の外側面はなだらかに湾曲しており、この外側面の高さは前後方向の略中心近傍で最も低く、前端及び後端に向かって少しずつ高くなっていく。そして、グリップ部１３の後端部分には、図９，１０で示されるように、外形が略四半球状の後端壁部５６が設けられている。このことにより、グリップ部１３は前後方向の略全域に亘って、側壁５３，５４、底板部５５、後端壁部５６によって囲まれた内部空間５７（収納部）が形成されている。この内部空間５７は、上方及び前方が開放された空間となっている。
【００４８】
ここでグリップ部１３の底板部５５は、図９で示されるように、側壁５３，５４の前端部分よりさらに前方に延びている。そして底板部５５の前端部分では、その上面に係合突起６０が設けられている。即ち、グリップ部１３の前端近傍には、係合突起６０が形成されている。
【００４９】
係合突起６０は、図９，１０で示されるように、外形が略直方体状に形成された部材である。この係合突起６０は、底板部５５の上面（内側面）から上方へ向かって略垂直に突出している係合突起本体６１と、係合突起本体６１から前方に突出する突起部６２を有している。
【００５０】
突起部６２は、外形が略立方体状であり、係合突起本体６１の前端面から前方に向かって略垂直に突出している。具体的には、この突起部６２は、係合突起本体６１の前端面の上下方向の中央部分からやや下方よりの位置から前方に突出している。
【００５１】
ここで、突起部６２の下方には掛止溝６３が設けられている。掛止溝６３は、係合突起本体６１の前端面の一部を前方から後方へ切り欠いたような溝であり、係合突起本体６１の幅方向に沿って断面略長方形で延びている。即ち、掛止溝６３は、係合突起本体６１の突出方向と略垂直な方向に延びる溝となっている。また掛止溝６３は、係合突起本体６１の片側側面から他方側側面まで延びており、係合突起本体６１を幅方向に貫通している。即ち、掛止溝６３の延び方向の両端部分は、係合突起本体６１の両側面にそれぞれ形成された開口を介して外部と連続している。
【００５２】
さらに具体的には、この掛止溝６３は、上下方向で対向する上面と下面の間に形成され、前後方向に延びる溝となっている。ここで掛止溝６３を形成する上面は、突起部６２の下端面と連続して一体の面の形成している。さらに掛止溝６３を形成する下面は、底板部５５の上端面（内側面）と同一の面となっている。即ち、掛止溝６３は係合突起本体６１の下端に形成される溝である。
【００５３】
また係合突起本体６１には、図９，１０で示されるように、上下方向の中心部分よりやや上方の部分であって、前後方向の略中心部分に回動用貫通孔６４が設けられている。回動用貫通孔６４は、係合突起本体６１を幅方向に貫通する貫通孔であり、断面楕円状で係合突起本体６１の幅方向に延びている。さらに具体的には、図１０で示されるように、回動用貫通孔６４は前方から後方に向かって、断面が略半円状であって前方に凸である前方部６４ａと、断面が略長方形状である中央部６４ｂと、断面が略半円状であって後方に凸である後方部６４ｃから形成されている。
【００５４】
ここで回動用貫通孔６４の内周面には、前方部６４ａと中央部６４ｂの境界部分と、中央部６４ｂと後方部６４ｃの境界部分に段部６４ｄが形成されている。この段部６４ｄは、回動用貫通孔６４の内周面の上方と下方に２つずつ、計４つ設けられている。そして、いずれも回動用貫通孔６４の内周面から内側へと突出している。具体的には、内周面の上方に位置する段部６４ｄは下方に向かって突出しており、内周面の下方に位置する段部６４ｄは上方に向かって突出している。また、この段部６４ｄは、いずれも回動用貫通孔６４の幅方向に沿って断面略半円状で延びており、回動用貫通孔６４の幅方向全域に亘って延びている。
【００５５】
さらに、図１０で示されるように、係合突起６０の直近の後方近傍であり、内部空間５７の前端よりやや後方の部分には、グリップ内溝部６５が設けられている。このグリップ内溝部６５は、底板部５５の上面（内側面）に形成されて周囲に対して窪んでいる。なおこのグリップ内溝部６５は、断面略台形状でグリップ部１３の幅方向に延びている。
【００５６】
保護部材４は、特に限定されるものではないが、ポリアセタール等の樹脂で形成されている。即ち、保護部材４は適宜の原料によって可撓性又は弾性を有するように形成された部材である。そして保護部材４は、図１１で示されるように、ガード部６、立壁部６８，６９、操作部７を有している。
【００５７】
ガード部６は、図１１で示されるように、保護部材４の前端に位置する半環状の部分である。詳細には、ガード部６は断面略Ｕ字状で上下方向に延びる部分であり、前方に凸となっている。このとき、ガード部６の上端面は傾斜しており、後方に向かうにつれて高くなっている。
【００５８】
立壁部６８，６９は、図１１で示されるように、ガード部６の後方側に設けられ、保護部材４の前後方向に延びる板状の部分である。詳細に説明すると、２つの立壁部６８，６９の前端部分は、ガード部６の後端部分と幅方向の両端でそれぞれ連続している。そして２つの立壁部６８，６９は、ガード部６の後端から保護部材４の後端近傍まで保護部材４の略全域に亘って延びている。このとき、この２つの立壁部６８，６９は互いに平行に延びている。つまり、２つの立壁部６８，６９は隙間を介して対向している。
【００５９】
ここで、２つの立壁部６８，６９の互いに対向する面の上端部分には、突出部７０，７１がそれぞれ設けられている。突出部７０，７１は、いずれも断面略長方形状で保護部材４の前後方向に沿って延びている。即ち、この突出部７０，７１は、２つの立壁部６８，６９の互いに対向する面から内側に向かって突出している。換言すると、突出部７０，７１は互いに近づく方向にそれぞれ突出している。そして、突出部７０，７１の突端面は離間対向している。
【００６０】
操作部７は、図１１で示されるように、保護部材４の後上端部近傍に形成されており、操作部本体７３と、２つの支持片７４，７５を有している。
【００６１】
操作部本体７３は、長方形平板状の本体部７３ａと、本体部７３ａの前端から下方に突出する掛止片７３ｂと、本体部７３ａの後端から上方に突出する操作突起７３ｃから形成されている。ここで掛止片７３ｂは操作部本体７３の幅方向全域に亘って断面略五角形状で延びており、操作突起７３ｃは操作部本体７３の幅方向全域に亘って断面略台形状で延びている。
【００６２】
支持片７４，７５は、支持片本体部７４ａ，７５ａと突出片部７４ｂ，７５ｂから形成されており、それぞれ保護部材４の幅方向において対称に配されている。
【００６３】
２つの支持片７４，７５の各支持片本体部７４ａ，７５ａは、立壁部６８，６９の上端から上方に突出し、保護部材４の前後方向に延びた板状の部分である。詳細に説明すると、２つの立壁部６８，６９の後上端部と支持片本体部７４ａ，７５ａの前下端部が連続しており、２つの支持片本体部７４ａ，７５ａが互いに平行に延びている。このとき、２つの支持片本体部７４ａ，７５ａは、２つの立壁部６８，６９と同じ方向に延びるものであり、その長手方向は同じとなっている。そして、２つの支持片本体部７４ａ，７５ａも２つの立壁部６８，６９と同様に隙間を介して対向している。つまり、立壁部６８，６９と支持片本体部７４ａ，７５ａとは、それぞれ長さの異なる２つの立板を上下方向に重ねたように連続している。
【００６４】
突出片部７４ｂ，７５ｂは、２つの支持片本体部７４ａ，７５ａの互いに対向する面の後上端部からそれぞれ内側に突出する、外形が略直方体状の部分である。詳説すると、突出片部７４ｂ，７５ｂとは互いに近づく方向にそれぞれ突出している。
【００６５】
ここで突出片部７４ｂ，７５ｂの突出先端部分は、操作部本体７３と連続している。より具体的には、突出片部７４ｂ，７５ｂの突出先端部分は、操作部本体７３の幅方向両端に位置する両側面の後端部分と連続している。このとき、２つの突出片部７４ｂ，７５ｂは操作部本体７３を介して対向する位置にあり、２つの突出片部７４ｂ，７５ｂは操作部本体７３を幅方向の両側から挟み込むように支持している。
【００６６】
次に本実施形態の彫刻刀１の組み立て構造について説明する。
本実施形態の彫刻刀１では、図１２，１３で示されるように、芯部材１７上に保護部材４が載置された状態で、芯部材１７と保護部材４とが外筒部材１８の内側に挿通されている。さらに、外筒部材１８の前方部分に芯部材１７の前方部分が挿通された状態で、ネジ止め、接着剤の使用、かしめ等の適宜な手段で芯部材１７と外筒部材１８とが一体に取付けられている。そして、このように一体に取り付けられた芯部材１７と外筒部材１８によって、柄本体部１２が形成されている。このとき、柄本体部１２の前方部分では、保護部材４が外筒部材１８に取り囲まれている。また柄本体部１２の後方部分では、上方部分を除いて保護部材４が芯部材１７と外筒部材１８に囲まれている。なお柄本体部１２の後方部分では、保護部材４の上方部分は外部に開放されている。
そしてさらに、芯部材１７の刃体取付け部３３には刃体部３が挿通された状態となっており、芯部材１７と刃体部３もまた一体に取付けられた状態となっている。なお刃体部３は、鋼等の適宜な金属で形成されており、前端部分に刃先５が形成されている。このとき、刃先５の形状は、所謂平刀と称される形状となっている。
【００６７】
このとき、芯部材１７の係合溝３５の上部には、外筒部材１８の前方切り欠き部５０が位置しており、係合溝３５は外部に露出した状態となっている（図示せず）。そして、図１４で示されるように、操作部７の本体部７３ａに形成された掛止片７３ｂが係合溝３５に上方から挿入された状態となっている。このことにより、操作部７は芯部材１７に対して相対的な移動ができない状態に掛止されている。
【００６８】
またここで柄本体部１２の内部に注目すると、柄本体部１２の前方部分では、図１５で示されるように、柄本体部１２の幅方向両端に前方摺動溝７８，７９がそれぞれ形成されている。この前方摺動溝７８，７９は、外筒部材１８の内周面と芯部材１７の外周面の間に形成される隙間部分であり、柄本体部１２の前後方向に延びている。また前方摺動溝７８，７９の断面形状は、保護部材４の一部である立壁部６８，６９の断面形状と略同形となっている。このことにより、柄本体部１２の内部に形成された前方摺動溝７８，７９に保護部材４の立壁部６８，６９を挿入可能となっている。そして、この前方摺動溝７８，７９に立壁部６８，６９を挿入した状態で、柄本体部１２に保護部材４が取付けられている。このとき、立壁部６８，６９に形成された突出部７０，７１の下端面が、芯部材１７に形成された段部８１，８２に上方から接触している。なお、この段部８１，８２は、図３等で示されるように、芯部材１７の幅方向両端部分にそれぞれ形成されており、いずれも上下方向の中心よりやや上方に位置している。そして芯部材１７の前後方向の全域に亘って延びている。
【００６９】
これに対して柄本体部１２の後方部分では、図１６で示されるように、溝部４２，４３の上方に外筒部材１８の突出片４７，４７が位置している。このとき突出片４７，４７は、溝部４２，４３の上方に位置する開口の一部分を塞いでおり、溝部４２，４３の領域を一部制限している。そして、突出片４７，４７と芯部材１７の間に溝部４２，４３と連続する隙間８４，８５を形成している。この隙間８４，８５は下方で溝部４２，４３と連続しており、上方は外部に開放されている。
【００７０】
ここで柄本体部１２の後方部分では、柄本体部１２の幅方向の両端近傍にそれぞれ後方摺動溝８６，８７が形成されている。この後方摺動溝８６，８７は、隙間８４，８５と溝部４２，４３とが連続して形成される空間であり、柄本体部１２の前後方向に延びている。また後方摺動溝８６，８７の断面形状は、図１５，１６で示されるように、前方摺動溝７８，７９の断面形状と略同一である。しかしながら、前方摺動溝７８，７９では上方が閉塞しているのに対し、後方摺動溝８６，８７では、芯部材１７の段部８１，８２の上方に位置する部分が外部に開放されている。
【００７１】
ここで、柄本体部１２の前方部分に形成された前方摺動溝７８，７９と、柄本体部１２の後方部分に形成された後方摺動溝８６，８７は、柄本体部１２の前後方向で連続しており、一体の摺動溝８９，９０を形成している。この摺動溝８９，９０は、図２，１５，１６等で示されるように、柄本体部１２の内部を前後方向で貫通するものであり、柄本体部１２の前端と後端にそれぞれ形成された開口を介して外部と連続している。
【００７２】
本実施形態の彫刻刀１では、図１，１２で示されるように、柄本体部１２の後端部分にグリップ部１３の前端部分が取り付けられた状態となっている。このとき、図１２，１７，１８で示されるように、グリップ部１３の係合突起６０に形成された回動用貫通孔６４に、芯部材１７の後方立壁部２５，２６に形成された突起３８，３８が挿通されている。具体的には、係合突起６０が２つの後方立壁部２５，２６に挟まれた状態となっており、芯部材１７の２つの突起３８，３８は、係合突起６０の幅方向両端からそれぞれ回動用貫通孔６４の内部に挿通されている。なお突起３８，３８の大きさは、回動用貫通孔６４の前方部６４ａ又は後方部６４ｃに略丁度嵌まり込む大きさとなっている。
【００７３】
またこのとき、図１８で示されるように、グリップ部１３の係合突起６０に形成された掛止溝６３に芯部材１７の係合平板部３９が嵌め込まれた状態になっている。
以上で本実施形態の彫刻刀１の組み立て構造についての説明を終了する。
【００７４】
本実施形態の彫刻刀１は、保護部材４が刃体部３又は刃先５の周囲に位置する保護姿勢と、刃体部３及び刃先５の周囲に保護部材４が位置しない開放姿勢とを切り替えることができる。以下、図１９を参照しつつ保護姿勢から開放姿勢に切り替える場合を例に上げて説明する。
【００７５】
本実施形態の彫刻刀１が保護姿勢にあるとき、図１９（ａ）で示されるように、保護部材４の前方側の部分が柄本体部１２の前端から前方へ突出し、ガード部６が刃体部３及び刃先５の周囲に位置した状態となる。また、保護部材４の後方側の部分の多くは柄本体部１２の内部の摺動溝８９，９０（図１７等参照）に位置している。そしてまた、柄本体部１２の上部から操作部７が露出している。
【００７６】
この保護姿勢において、操作部７の操作突起７３ｃを上方から押圧すると、図１９（ｂ）で示されるように、掛止片７３ｂが上方へ移動する。つまり、操作部７が可撓性を有する部材であるので、操作部本体７３は支持片７４，７５（図１４参照）に対して姿勢を変更することができる。加えて、支持片７４，７５は操作部本体７３の後端より前方を支持しているので、操作部本体７３の後端近傍が下方へ移動すると、操作部本体７３の前端近傍が上方へ移動する。操作部本体７３の前端近傍が上方へ移動し、掛止片７３ｂが上方へ移動することによって、掛止片７３ｂと係合溝３５の係合が解除される。なおこのとき、係合溝３５の上部には前方切り欠き部５０が位置しており、係合溝３５の上部は開放されている。そのため、操作部本体７３の姿勢変更が妨げられることがない。
【００７７】
掛止片７３ｂと係合溝３５の係合が解除された状態で操作部７を後方へ移動させると、操作部７の移動に伴って保護部材４が後方へ移動する。具体的には、保護部材４の立壁部６８，６９が柄本体部１２の内部に形成された摺動溝８９，９０に嵌め込まれた状態で後方へスライド移動する。そして、保護部材４を後方へ移動させ続けると、図１９（ｃ）で示されるように、ガード部６の内周面が柄本体部１２の内部に形成された段差形成部２４に当接する。このことにより、保護部材４の後方への移動が終了し、刃体部３の周囲に保護部材４が位置しない開放姿勢となる。
【００７８】
このとき、図１９（ｃ）で示されるように、保護部材４の前方部分並びにガード部６は、柄本体部１２の内部空間に位置している。より具体的には、保護部材４の立壁部６８，６９と、ガード部６の後方側部分とは摺動溝８９，９０に位置している（図示せず）。さらにガード部６の前方部分は、柄本体部１２の前端側下方に形成され、段差形成部２４の前方に位置する空間９２の内部に位置している。
【００７９】
またこのとき、保護部材４の後方部分は、図１９（ｃ）で示されるように、柄本体部１２の後端から後方へ突出し、グリップ部１３に形成された内部空間５７に入り込んでいる。本実施形態の彫刻刀１の開放姿勢では、柄本体部１２の後方から突出する保護部材４の後方部分の略全ての部分が、内部空間５７に収納されるため、使用時に邪魔になることがない。
以上で保護姿勢から開放姿勢への切り替えの説明を終了する。
【００８０】
本実施形態において開放姿勢から保護姿勢に切り替える場合は、上記した保護姿勢から開放姿勢に切り替える場合と逆の手順を実施することにより切り替えが可能となっている。
【００８１】
さらに本実施形態の彫刻刀１では、柄部２を長棒状に展開する使用状態と、柄部２を折り畳み、グリップ部１３の内部に柄本体部１２、刃体部３、操作部７を収納する不使用状態とを切り替えることができる。以下、図２０，２１を参照しつつ使用状態から不使用状態に切り替える場合を例に上げて説明する。なお図２０，２１では２つの突起３８，３８の内、片側の突起３８についての図示を省略している。
【００８２】
本実施形態の彫刻刀１が使用状態にあるとき、図２０（ａ）で示されるように、２つの突起３８，３８が、回動用貫通孔６４の後方部６４ｃに嵌め込まれた状態となっている。さらにまた、グリップ部１３の係合突起６０に形成された掛止溝６３に、芯部材１７の係合平板部３９が嵌め込まれた状態となっている。このことにより、グリップ部１３は柄本体部１２に対して固定されている。
【００８３】
この使用状態において、グリップ部１３を柄本体部１２に対して相対的に後方へ移動させると、図２０（ｂ）で示されるように、２つの突起３８，３８が共に回動用貫通孔６４の前方部６４ａへと相対的に移動して、前方部６４ａに嵌め込まれた状態となる。そして、係合平板部３９と掛止溝６３の係合が解除された状態となる。
【００８４】
具体的に説明すると、回動用貫通孔６４の中央部６４ｂと後方部６４ｃの境界となる部分には段部６４ｄが設けられている（図１０参照）。そして突起３８，３８が後方部６４ｃに位置している際、この段部６４ｄが突起３８，３８の中央部６４ｂ側への移動を妨げるので、突起３８，３８は回動用貫通孔６４に対して相対的に移動することはできない。しかしながら、柄本体部１２やグリップ部１３を強く引っ張る等によって、強い力でグリップ部１３を柄本体部１２に対して相対的に後方へ移動させると、段部６４ｄが弾性変形して突起３８，３８が中央部６４ｂ側へ移動可能となる。即ち、突起３８，３８が、回動用貫通孔６４の後方部６４ｃに嵌まり込んでいるとき、柄本体部１２をグリップ部１３に対して前方側に強く引っ張るか、グリップ部１３を柄本体部１２に対して後方側に強く引っ張ることにより、突起３８，３８を回動用貫通孔６４の中央部６４ｂ側、さらには前方部６４ａ側へ移動させることができる。
【００８５】
なお彫刻刀１の使用状態では、上記したように、グリップ部１３又は柄本体部１２に規定の方向に強い力を加えない限り、突起３８，３８と後方部６４ｃの係合、並びに係合平板部３９と掛止溝６３の係合が解除されることがない。そのため、彫刻刀１の使用時に柄本体部１２に対してグリップ部１３が姿勢変更することはなく、柄部２をあたかも一体の棒状の柄のように使用することができる。
【００８６】
そして、２つの突起３８，３８が共に回動用貫通孔６４の前方部６４ａに嵌め込まれた状態（図２０（ｂ）で示される状態）において、グリップ部１３を柄本体部１２に対して回動させるとグリップ部１３の姿勢が変更されて、柄部２が屈曲した状態（図２０（ｃ）で示される状態）となる。即ち、２つの突起３８，３８が共に回動用貫通孔６４の前方部６４ａに嵌め込まれた状態では、グリップ部１３と柄本体部１２とは、突起３８，３８を支点として相対的に回動可能となっている。
【００８７】
そしてそのままグリップ部１３を回動させると、図２０（ｄ）で示されるように、グリップ部１３の内部空間５７内に柄本体部１２、刃体部３、保護部材４のほぼ全ての部分が収納された不使用状態となる。この不使用状態においては、グリップ部１３の内部空間５７に形成されたグリップ内溝部６５に操作部７の操作突起７３ｃが挿入された状態となっている。
以上で使用状態から不使用状態への切り替えの説明を終了する。
【００８８】
本実施形態において不使用状態から使用状態に切り替える場合は、上記した使用状態から不使用状態に切り替える場合と逆の手順を実施することにより切り替えが可能となっている。
【００８９】
ところで本実施形態の彫刻刀１は、上記したように、刃体部３の周囲にガード部６を配した保護姿勢で使用することができる（図２２参照）。このような状態で柄部２を把持して彫刻刀１を使用することにより、刃物の扱いに不慣れな者であっても彫刻刀１を安全に使用することができる。また本実施形態の彫刻刀１は、図２３で示されるように、刃体部３の周囲からガード部６を退去させた開放姿勢でも使用することができる。このことにより、刃物の扱いに長けた者が彫刻刀１を使用するとき、ガード部６が彫刻刀１を使用した切削作業を阻害しない。
【００９０】
また、本実施形態の彫刻刀１は、図２２で示されるように、保護部材４の前端部分を形成するガード部６が上方（図２２の上方であって、彫刻刀１の使用時における上方）に反っている。詳説すると、保護部材４の大部分を形成する立壁部６８，６９は、彫刻刀１の前後方向に沿って延びている。そして、立壁部６８，９９の前端から、半環状のガード部６が斜め上方（図２２の上方）に突出している。換言すると、保護部材４は、その前端部分が上方（図２２の上方）に屈曲している。
【００９１】
そのため、図２２で示されるように、柄本体部１２の前端側の内部上方（図２２における上方）には、開放姿勢時にガード部６を収納するための空間９２が形成されている。このことにより、図２３で示されるように、開放姿勢時には、この空間９２にガード部６を位置させることで、ガード部６を柄本体部１２内に収納できる。ところが、図２２で示されるように、保護姿勢時には、この空間９２の一部が、保護部材４の立壁部６８，６９の上面（図２２における上面）と、柄本体部１２の内周面との間に形成される隙間となってしまう。
【００９２】
しかし、本実施形態の彫刻刀１では、保護姿勢時において、仮に保護部材４に上下方向の力が加わった場合であっても、保護部材４がぐらつかない構成となっている。
【００９３】
このことにつき、具体的に説明すると、上記したように、２つの立壁部６８，６９には、突出部７０，７１がそれぞれ設けられている（図１１参照）。したがって、彫刻刀１の使用時では、図２４で示されるように、２つの立壁部６８，６９の下端（図２４における下端）部分で、突出部７０，７１が、立壁部６８，６９の内側側面から柄本体部１２の幅方向の内側へ向かって、それぞれ略垂直に突出している。換言すると、２つの立壁部６８，６９は、片側の立壁部６９の下端近傍の部分が、断面略Ｌ字状となっており、他方側の立壁部６８の下端近傍の部分が、断面形状が左右反転した略Ｌ字状となっている。そして、これら立壁部６８，６９の下端近傍の部分は、柄本体部１２（彫刻刀１）の前後方向に沿って延びている。
【００９４】
また、図２４で示されるように、本実施形態の彫刻刀１では、外筒部材１８に芯部材１７が挿通されることにより、柄本体部１２の内部空間に摺動溝８９，９０が形成されている。この摺動溝８９，９０は、それぞれ下端部分に、外筒部材１８及び芯部材１７の一部を壁面とし、柄本体部１２の幅方向外側から内側へむかって窪んだ凹部９５，９６を有している。そして、凹部９５，９６は、断面略長方形状で、柄本体部１２（彫刻刀１）の前後方向に沿って延びている。
【００９５】
そして、本実施形態の彫刻刀１では、図２４で示されるように、この柄本体部１２の内部空間に形成された凹部９５，９６に、保護部材４の突出部７０，７１が嵌め込まれた状態となっている。そのため、保護姿勢時において（図２２参照）、仮に保護部材４に上下方向の力が加わったとしても、保護部材４が柄本体部１２に対して相対的に上下方向に移動することがなく、ぐらつくことがない。
【００９６】
さらに、本実施形態の彫刻刀１は、開放姿勢のとき使用状態から不使用状態への切り替えができないようになっている。また彫刻刀１が不使用状態のとき、保護姿勢から開放姿勢へ切り替わらないようになっている。さらにまた、使用状態から不使用状態へ切り替え操作を行う際も、保護姿勢から開放姿勢へ切り替わらないようになっている。
【００９７】
具体的に説明すると、彫刻刀１が開放姿勢であるとき、図１９（ｃ）で示されるように、保護部材４の後端側の部分がグリップ部１３の内部空間５７内に位置している状態となる。この状態では、柄本体部１２から後方に突出した保護部材４の後端側の部分がグリップ部１３の柄本体部１２に対する相対的な回動を阻害するため、使用状態から不使用状態への切り替えができない。
【００９８】
また彫刻刀１が不使用状態であるとき、図２１（ｄ）で示されるように、グリップ部１３のグリップ内溝部６５の内側に操作部７の操作突起７３ｃが位置している。
【００９９】
そしてまた、使用状態から不使用状態へ切り替え操作を行うとき、図２１（ｃ）で示されるように、柄本体部１２の後方部分でグリップ部１３の底板部５５が上下方向の成分を含む方向に延びている。仮に、この状態において彫刻刀１を保護姿勢から開放姿勢へと切り替えようとすると、柄本体部１２の内部から後方へ突出する保護部材４の後端部分がグリップ部１３の底板部５５に当接してしまう。そのことにより、保護部材４が後側方向へ移動できず、保護姿勢から開放姿勢への切り替えができない。
【０１００】
上記した実施形態では、柄部２を２つ折りに折り畳んで小さく収納する例を示したが、本発明の彫刻刀の柄部分はこれに限るものではない。例えば、３つ折り、４つ折りのように３つ以上の小片部分を折り畳む構成であってもよい。
また本発明の柄部は、折り畳んで小さくする構成に限るものではない。例えば、柄部の先端側部分と後端側部分を径の異なる筒状態で構成し、先端側部分を後端側部分に対して相対的に前後方向に移動させることにより、先端側部分と後端側部分のいずれかの内部に他方の部分を収納して柄部を小さく畳む構成であっても構わない。
即ち、不使用状態において、柄部を小さく畳むことができればよい。
【０１０１】
上記した実施形態では、半環状のガード部６を有する保護部材４を採用する例を示したが、本発明の彫刻刀の保護部材はこれに限るものではない。例えば、ガード部の先端部分が離間している構成でもよい。即ち、本発明の彫刻刀で採用されるガード部は、刃体部の幅方向両端にそれぞれ設けられた壁状のガード部であってもよい。
【０１０２】
また、上記した実施形態では、保護部材４として、長方形平板状の本体部７３ａと、本体部７３ａの前端から下方に突出する掛止片７３ｂとを備えた操作部７を備えた保護部材４を採用する例を示したが、本発明の彫刻刀における保護部材及び操作部は、これに限るものではない。例えば、図２５に示されるように、断面略小判状で上下方向に延びる操作突起１０２ｃと、上方に突出する掛止片１０２ｂとを備えた操作部１０１を有する保護部材１００であってもよい。
このような保護部材１００、及びこのような保護部材１００を採用する彫刻刀１０５につき、以下で図面を参照しつつ具体的に説明するが、上記した実施形態と同様の部分については、同じ符号を付して説明を省略する。
【０１０３】
保護部材１００は、操作部本体１０２と、支持片１０３とを備えた操作部１０１を有している。
【０１０４】
操作部本体１０２は、操作部本体１０２の大部分を占めて本体となる操作突起１０２ｃと、操作突起１０２ｃの前端面の下端近傍から前方へ突出する略長方形平板状の連結板部１０２ａと、連結板部１０２ａの前端上面から略垂直上方に突出する掛止片１０２ｂから形成されている。
【０１０５】
このとき、操作突起１０２ｃの天面には、滑り止めが形成されている。具体的には、操作突起１０２ｃの天面には、幅方向に延びる小さな溝が複数設けられており、これらが、前後方向の略全面に亘って並列して、滑り止めを形成している。また、掛止片１０２ｂは、断面略長方形で操作部１０１の幅方向に延びる突起となっており、操作部１０１の幅方向の略全域に亘って延びている。
【０１０６】
支持片１０３は、２つの立壁部６８，６９の後端よりやや前方の部分に形成される外形が略直方体状の部分である。この支持片１０３は２つ設けられており（一方については図示せず）、２つの突出部７０，７１と操作部本体１０２との間にそれぞれ位置して、操作部本体１０２と２つの突出部７０，７１を接続している。したがって、２つの支持片１０３は、保護部材１００の幅方向において対称に配され、２つの突出部７０，７１からそれぞれ内側に突出している。換言すると、２つの支持片１０３は、操作部本体１０２を介して対向する位置にあり、操作部本体１０２を幅方向の両側から挟み込むように支持している。
【０１０７】
次に、このような保護部材１００を採用する彫刻刀１０５について説明する。
【０１０８】
彫刻刀１０５では、図２６で示されるように、柄本体部１２の内部空間に係合溝１０６が形成されている。この係合溝１０６は、内部空間の上方（図２６の上方であり、使用時の下方）に形成され、上方に窪んでいる。また、彫刻刀１０５の保護姿勢時において、保護部材１００の操作部本体１０２は、その前端部分が柄本体部１２の内部空間内に位置しており、掛止片１０２ｂが係合溝１０６に嵌め込まれた状態となっている。
【０１０９】
このことにより、彫刻刀１０５が保護姿勢にあるとき、保護部材１００は、柄本体部１２に対して相対的に移動できなくなっている。
【０１１０】
また、この彫刻刀１０５が保護姿勢から開放姿勢へと切り替えるときは、操作突起１０２ｃを上方（図２６の上方）から押圧する。すると、操作部１０１が可撓性を有する部材であるので、掛止片１０２ｂが下方（図２６の下方）へ移動し、掛止片１０２ｂと係合溝１０６の係合が解除された状態となる。そして、この状態で操作部１０１を後方へ移動させることにより、保護部材１００が柄本体部１２に対して相対的に後方へ移動し、開放姿勢へと切り替わる。なお、このとき、柄本体部１２には操作部１０１の下方（図２６の下方）に位置する部分に空間を形成しており（図示せず）、操作部１０１の姿勢変更を妨げない構成となっている。
【０１１１】
ところで、本発明のグリップ部の形状は上記した実施形態の形状に限るものではない。例えば、図２７，２８で示されるように、グリップ部１０９の幅方向で対向する両側面に、それぞれ外側から内側へ向かって窪む把持部１１０，１１０設けたグリップ部１０９であってもよい。このようなグリップ部１０９によると、彫刻刀の柄部分の一部に、くびれて細くなった部分が形成され、使用者が彫刻刀を持ち易くなり、掘削作業をやり易くなるという利点がある。
【０１１２】
なお上記した実施形態では、刃先５が所謂平刀と称される形状である例を示したが、本発明の彫刻刀の刃先形状はこれに限るものではない。例えば、所謂印刀、丸刀、浅丸刀、三角刀、平丸刀、丸曲刀等適宜な形状であってよい。本発明の彫刻刀の刃先形状は、適宜変更してよい。
【符号の説明】
【０１１３】
１，１０５  彫刻刀
２  柄部
３  刃体部
４，１００  保護部材
５  刃先
６  ガード部
７，１０１  操作部
１２  柄本体部（先端側部分）
１３，１０９  グリップ部（後端側部分）
３５  係合溝
５７  内部空間（収納部）
【図１】
0005882708.tif 000002
【図２】
0005882708.tif 000003
【図３】
0005882708.tif 000004
【図４】
0005882708.tif 000005
【図５】
0005882708.tif 000006
【図６】
0005882708.tif 000007
【図７】
0005882708.tif 000008
【図８】
0005882708.tif 000009
【図９】
0005882708.tif 000010
【図１０】
0005882708.tif 000011
【図１１】
0005882708.tif 000012
【図１２】
0005882708.tif 000013
【図１３】
0005882708.tif 000014
【図１４】
0005882708.tif 000015
【図１５】
0005882708.tif 000016
【図１６】
0005882708.tif 000017
【図１７】
0005882708.tif 000018
【図１８】
0005882708.tif 000019
【図１９】
0005882708.tif 000020
【図２０】
0005882708.tif 000021
【図２１】
0005882708.tif 000022
【図２２】
0005882708.tif 000023
【図２３】
0005882708.tif 000024
【図２４】
0005882708.tif 000025
【図２５】
0005882708.tif 000026
【図２６】
0005882708.tif 000027
【図２７】
0005882708.tif 000028
【図２８】
0005882708.tif 000029